(57)【要約】【課題】緑化を行う緑化装置及びその工法について、施工そのものが簡単で施工後の耐久性が優れていて、しかも、水管理をし易いものとすること。【解決手段】緑化を行うための栽培土３０が収納される装置本体１０と、これとともに使用されることになる枠体２０とからなる緑化装置１００であって、  枠体２０を装置本体１０上に載置したとき、この装置本体１０の底板１１上に枠体２０による栽培土３０のための投入空間が形成でき、  逆に、装置本体１０を枠体２０上に載置したとき、この枠体２０が底板１１を施工面から一定間隔離間できるとともに、緑化植物を露出できるようにしたこと。【選択図】図１
2005229827.tif 000002
【特許請求の範囲】
【請求項１】
緑化を行うための栽培土（３０）が収納される装置本体（１０）と、これとともに使用されることになる枠体（２０）とからなる緑化装置（１００）であって、
前記枠体（２０）を前記装置本体（１０）上に載置したとき、この装置本体（１０）の底板（１１）上に前記枠体（２０）による前記栽培土（３０）のための投入空間及び緑化植物の発芽または初期成育空間が形成でき、
逆に、前記装置本体（１０）を前記枠体（２０）上に載置したとき、この枠体（２０）が前記底板（１１）を施工面から浮き上がらせることができるとともに、前記緑化植物を露出できるようにしたことを特徴とする緑化装置。
【請求項２】
緑化を行うための栽培土（３０）が収納される装置本体（１０）と、これとともに使用されることになる枠体（２０）とからなる緑化装置（１００）であって、
前記装置本体（１０）を、前記栽培土（３０）が投入されることになる底板（１１）と、この底板（１１）の外周を支える枠部（１２）と、この枠部（１２）の上面に形成されて、前記枠体（２０）の枠本体（２１）の下面が載置されることになる受面（１３）とを備えたものとするとともに、
前記装置本体（１０）が前記枠本体（２１）の上側にも組み合わせることができるようにしたことを特徴とする緑化装置（１００）。
【請求項３】
前記枠部（１２）は、その下面に形成されて、前記枠本体（２１）の下端が嵌合されることになる嵌合凹部（１４）を備えたものとしたことを特徴とする請求項２に記載の緑化装置。
【請求項４】
前記枠部（１２）は、その一部に形成した通口（１５）を有したものであることを特徴とする請求項２または請求項３に記載の緑化装置。
【請求項５】
緑化を行うための栽培土（３０）が収納される装置本体（１０）と、これとともに使用されることになる枠体（２０）とからなる緑化装置（１００）であって、
前記枠体（２０）を、前記装置本体（１０）上に嵌合されたときに、その底板（１１）上に投入される前記栽培土（３０）を囲い込む枠本体（２１）と、当該枠体（２０）を前記装置本体（１０）の下面に形成した嵌合凹所（１４）内に嵌合したとき、前記枠本体（２１）を接地面に対して支持する脚部（２２）とにより構成したことを特徴とする緑化装置（１００）。
【請求項６】
前記枠本体（２１）の上端内側に所定幅の折り返し部（２４）を一体化するとともに、この折り返し部（２４）の内側に前記各脚部（２２）を一体化したことを特徴とする請求項４または請求項５に記載の緑化装置（１００）。
【請求項７】
栽培土（３０）が投入されて載置される装置本体（１０）と、これに組み合わされる枠体（２０）とからなる緑化装置（１００）を使用した緑化工法であって、
前記枠体（２０）を前記装置本体（１０）上に載置して、この装置本体（１０）の底板（１１）上に形成された前記枠体（２０）による投入空間内に前記栽培土（３０）を投入して、この栽培土（３０）によって緑化植物の育苗を行い、
この育苗が済んだ前記緑化植物を前記装置本体（１０、枠体（２０）及び栽培土（３０）をそのままの状態にして施工面まで運搬し、
施工面において、前記装置本体（１０）を前記枠体（２０）上に載置して、前記緑化植物が植えられている栽培土（３０）を前記施工面から浮き上がらせるようにしたことを特徴とする緑化工法。
【請求項８】
枠部（１２）によって栽培土（３０）が投入されて載置される底板（１１）を支持するようにした装置本体（１０）と、枠本体（２１）を有する枠体（２０）とからなる緑化装置（１００）を使用した緑化工法であって、
前記装置本体（１０）上に前記枠体（２０）を載置することにより、この枠体（２０）の前記枠本体（２１）内に、前記栽培土（３０）の収納とこれによる緑化植物の育苗を行う空間を形成し、
前記栽培土（３０）への播種または育苗を完了させた複数の前記緑化装置（１００）を、そのままの状態で段積みして施工場所まで搬送した後、
前記枠体（２０）を施工面上に載置してから、その枠本体（２１）上に前記装置本体（１０）を載置することにより、前記栽培土（３０）が上部に位置し、前記枠本体（２１）に形成してある脚部（２２）が前記施工面に当接して、前記脚部（２２）間にある通水口（２４）を前記施工面上にて開口するようにし、
この作業を複数の前記各緑化装置（１００）について行うことにより、前記緑化植物による緑化を行うようにしたことを特徴とする緑化工法。
【請求項９】
前記施工面上に、別に用意しておいた前記枠体（２０）を上下ひっくり返して載置しておき、この枠体（２０）上に前記装置本体（１０）を載置した後に、当該装置本体（１０）上にあった前記枠体（２０）をその脚部（２２）が下になるようにして当該装置本体（１０）の隣に載置し、これを繰り返すことにより前記施工面に対する緑化を行うようにしたことを特徴とする請求項８に記載の緑化工法。
【発明の詳細な説明】
【技術分野】
【０００１】
本発明は、ビルの屋上、マンション等のベランダ、家庭の庭、展示会場、公園、ゴルフ場等の種々な場所の緑化を行う緑化装置、及びこれを使用した緑化工法に関するものである。
【背景技術】
【０００２】
近年、ビルの屋上、マンション等のベランダ、家庭の庭等の種々な場所に緑化を積極的に行うことが盛んになってきている。緑化を行えば、屋上やベランダ等を憩いの空間とすることができるだけでなく、空気の浄化や、夏場であればビルの冷房にも役立つからである。
【０００３】
緑化は、植物が生育するための栽培土が必要であることは当然として、事業として行う場合には、施工場所とは異なった場所で緑化植物の「育苗」を行わなければならず、育苗時にも施工完了時にも潅水が必要であることから、その施工を完成するには結構大変な作業が必要である。そのため、緑化施工のための種々な緑化用資材や施工方法が、例えば特許文献１や特許文献２等で提案されているのである。
【特許文献１】実開平２−１１６９４３号公報、第１図、第２図
【特許文献２】特開２０００−１３９２２９号公報、要約
【発明の開示】
【発明が解決しようとする課題】
【０００４】
特許文献１には、図２４に示すような「緑化用ボックス」が提案されており、このボックスは、その育成装置本体１内にマットと有機質肥料層とを形成してから、この育成装置本体１の上部に内接筒枠５を嵌合して、この内接筒枠５内に培養土層を形成するものである。
【０００５】
この特許文献１のボックスによれば、植生に必要な培養土等をビルの屋上に簡単に運べて、しかもこれらを並べるだけでよいため、緑化のための施工が簡単に行えるものと考えられる。また、培養土で「芝」を育成して内接筒枠５を外せば、複数並べたボックス間の境目がなくなり、綺麗な緑化が行えるものとも考えられる。
【０００６】
しかしながら、この特許文献１のボックスでは、単なる「箱」や「枠」を組み合わせただけのものであるため、十分な強度が得られず、耐久性に劣ると考えられる。また、「枠」は、施工現場で取り外した後は全く不要なものとなるため、単なる邪魔物でしかなく、産業廃棄物ともなるものである。
【０００７】
また、この種の緑化装置は、中に培養土等を詰めなければならないし、施工場所への運搬も行わなければならず、運搬や施工を容易にするためには、十分な強度を有している必要があるものである。しかも、この種の緑化装置は、「育苗」している場合は勿論、一端施工した後にも何年にもわたって風雨や潅水、あるいは太陽光線に晒されるものであるため、中身の培養土が散らばって屋上を汚すことにならないようにするためには、ある程度の強度を有した物である必要があるのである。
【０００８】
特許文献２には、図２５に示すような「植物栽培コンテナ」が示されているが、このコンテナも、実質的に特許文献１と同様な構成のものであるため、上述したような問題があると考えられる。
【０００９】
また、上記の特許文献１及び２に記載された容器では、いずれもが底板に排水口を設けているため、この排水口から培養土や潅水された水が出易く、特に水については潅水してから短時間内で排水されてしまうものであると考えられる。
【００１０】
さらに、上記各特許文献に記載された装置やコンテナでは、まず、田圃や畑で緑化植物（芝生）の育成を直接行い、これを剥がして装置やコンテナに詰めて運搬するため、その箱詰めに手間が掛かるだけでなく、運搬時に砂や土が零れて他の植生植物に降りかかり、折角育苗した緑化植物が保管や運搬時に枯れてしまうということもあり得る。
【００１１】
換言すれば、特に屋上緑化を行うための緑化装置としては、育苗や保管、そして運搬をも考慮した施工性に優れた物とする必要があるのであり、十分な強度と、屋上のような自然環境においたときの十分な耐久性、そして潅水等の水管理が簡単であることが必要とされているのである。
【００１２】
そこで、本発明者等は、この種の緑化を行う資材について、施工そのものが簡単で施工後の耐久性が優れていて、しかも、水管理をし易いものとするにはどうしたらよいか、について種々検討を重ねてきた結果、本発明を完成したのである。
【００１３】
すなわち、本発明の目的とするところは、緑化を行う緑化装置及びその工法について、施工そのものが簡単で施工後の耐久性が優れていて、しかも、水管理をし易いものとすることである。
【課題を解決するための手段】
【００１４】
以上の課題を解決するために、まず、請求項１に係る発明の採った手段は、後述する最良形態の説明中で使用する符号を付して説明すると、
「緑化を行うための栽培土３０が収納される装置本体１０と、これとともに使用されることになる枠体２０とからなる緑化装置１００であって、
枠体２０を装置本体１０上に載置したとき、この装置本体１０の底板１１上に枠体２０による栽培土３０のための投入空間及び緑化植物の発芽または初期成育空間が形成でき、
逆に、装置本体１０を枠体２０上に載置したとき、この枠体２０が底板１１を施工面から浮き上がらせることができるとともに、緑化植物を露出できるようにしたことを特徴とする緑化装置１００」
である。
【００１５】
すなわち、この請求項１に係る緑化装置１００は、緑化を行うための栽培土３０が収納される装置本体１０と、これとともに使用されることになる枠体２０とからなるものである。
【００１６】
そして、この緑化装置１００は、図１に示すように、枠体２０を装置本体１０上に載置したとき、この装置本体１０の底板１１上に枠体２０による栽培土３０のための投入空間及び緑化植物の発芽または初期成育空間を形成するものである。
【００１７】
逆に、この緑化装置１００は、図４に示すように、装置本体１０を枠体２０上に載置したとき、この枠体２０が底板１１を施工面から浮き上がらせることができるとともに、底板１１上に育成されている緑化植物を露出できるようにしたものでもある。
【００１８】
換言すれば、この緑化装置１００は、従来であれば邪魔物でしかなく産業廃棄物としかならなかった枠体２０を、育苗時には栽培土３０や緑化植物の保護、施工完了時には装置本体１０の「脚」としての役目を果たすこともできるものとしたのである。そして、これらの装置本体１０と枠体２０とは、常に対で使用されるため、例えば枠体２０が紛失しな
いことになり、長期にわたって無駄無く使用できるものとなっているのである。
【００１９】
また、この請求項１の緑化装置１００は、田圃や畑での芝生の育成にも簡単に使用できるだけでなく、その複数を積み重ねることもできるものであり、保管や運搬が簡単に行え、ビルの屋上に対する緑化であっても、その施工を簡単に行えるものとなっているのである。さらには、緑化完了後において、例えば部分的な「枯れ」が生じた場合の交換は該当する緑化装置１００のみを対象とすればよく、その入れ替え作業も簡単に行えるものとなっているのである。
【００２０】
従って、この請求項１の緑化装置１００は、装置本体１０と枠体２０とを有効に利用することができて、結果的に、緑化のための育苗や施工そのものが簡単になって、しかもコストの低減が図られているのである。
【００２１】
上記課題を解決するために、請求項２に係る発明の採った手段は、同様に、
「緑化を行うための栽培土３０が収納される装置本体１０と、これとともに使用されることになる枠体２０とからなる緑化装置１００であって、
装置本体１０を、栽培土３０が投入されることになる底板１１と、この底板１１の外周を支える枠部１２と、この枠部１２の上面に形成されて、枠体２０の枠本体２１の下面が載置されることになる受面１３とを備えたものとするとともに、
装置本体１０が枠本体２１の上側にも組み合わせることができるようにしたことを特徴とする緑化装置１００」
である。
【００２２】
すなわち、この請求項２の緑化装置１００は、緑化を行うための栽培土３０が収納される装置本体１０と、これとともに使用されることになる枠体２０とからなるなるものであるが、特に、この請求項２の緑化装置１００では、これを構成している装置本体１０を、底板１１と、その外周を支える枠部１２と、この枠部１２の上面に形成した受面１３とを備えたものとしたことを特徴とするものである。
【００２３】
これにより、この緑化装置１００を構成している装置本体１０は、その上面側の受面１３にて枠体２０の枠本体２１を確実に受けることができるのであり、例えば図１に示すように、脚部２２が上方となるようにした枠体２０をその枠本体２１の下端縁全体で受け止めて支持するのであり、上下逆向きにした枠体２０についても同様に支持するのである。
【００２４】
枠体２０を上側に乗せたときの装置本体１０は、図１８に示すように、その下側に空間を形成するものであるから、例えば、当該緑化装置１００内に投入した栽培土３０内に播種した芝生６０がある程度まで生育するまでの間の潅水が、この空間を通して排出されることになる。勿論、この空間からは、「根」の生育に必要な酸素が供給される。このため、当該装置本体１０は、芝生６０の苗の育成を、「根腐れ」等の原因である水分過多や、酸素不足による悪影響を生ずることなく行えるものである。
【００２５】
また、この装置本体１０は、図２１及び図２２に示すように、枠体２０の上に載置されて施工面上、あるいは後述する貯水トレー５０内に配列されるのであるが、その際には、図４に示すように、施工面あるいは貯水トレー５０上に配列された枠体２０上に載置されるものでもである。このときには、この装置本体１０の下側に枠体２０の枠本体２１が嵌合されるから、当該枠体２０に対する位置が安定することになる。これにより、当該緑化装置１００の多数を、図１９あるいは図２０に示すような状態で施工したとき、栽培土３０及びその中で生育している芝生６０を崩れたり位置ズレしたりしないようにしながら生育させることができるのである。
【００２６】
以上のように、当該装置本体１０に対する枠体２０の種々な使用の仕方は簡単になっており、しかも施工後の装置本体１０及び枠体２０は、互いに安定状態に維持されることになるから、緑化装置１００全体の修正移動や潅水作業によって簡単に破損することはなく、緑化装置１００全体としての耐久性をも高めているものである。勿論、装置本体１０は、枠体２０の存在によって、底板１１上の栽培土３０が流れ出ないようにされる（枠体２０を上側にした場合）のであり、また、施工面上に対する位置安定化が図られる（枠体２０を下側にした場合）のである。
【００２７】
なお、後述する実施形態の装置本体１０では、その底板１１の中央に吸水材挿入口１６が形成してあるから、この吸水材挿入口１６内に、図２２に示すように吸水材５１を挿入しておけば、この吸水材５１によって、例えば下側の貯水トレー５０内の水を吸い上げ得るようにすることができるものともなっている。
【００２８】
従って、この請求項２の緑化装置１００は、枠体２０を有効に利用することができて、結果的に、施工そのものが簡単で施工後の耐久性が優れていて、しかも、水管理がし易いものとなっているのである。
【００２９】
上記課題を解決するために、請求項３に係る発明の採った手段は、上記請求項２の緑化装置１００を構成している装置本体１０について、
「枠部１２は、その下面に形成されて、枠本体２１の下端が嵌合されることになる嵌合凹部１４を備えたものとした」
である。
【００３０】
すなわち、この請求項２の緑化装置１００は、緑化を行うための栽培土３０が収納される装置本体１０と、これとともに使用されることになる枠体２０とからなるなるものであることは上述した請求項２のそれと同様であるが、特に、この請求項３の緑化装置１００では、これを構成している装置本体１０を、底板１１と、その外周を支える枠部１２と、この枠部１２の上面に形成した受面１３と、枠部１２の下面に形成した嵌合凹部１４とを備えたものとしたことを特徴とするものである。
【００３１】
また、この装置本体１０は、図２１及び図２２に示すように配列された際には、図４に示すように、施工面あるいは貯水トレー５０上に配列された枠体２０上に載置されるものでもである。このときには、この装置本体１０の下側に開口している嵌合凹部１４（図７参照）内に、枠体２０の枠本体２１が嵌合されるから、当該枠体２０に対する位置が確実に安定することになる。これにより、当該緑化装置１００の多数を、図１９あるいは図２０に示すような状態で施工したとき、栽培土３０及びその中で生育している芝生６０を崩れたり位置ズレしたりしないようにしながら生育させることができるのである。
【００３２】
従って、この請求項３の緑化装置１００によれば、上記請求項２のそれと同様な機能を発揮する他、装置本体１０の下側に枠体２０の枠本体２１を嵌合したときの安定性が、嵌合凹部１４によって確実に確保されたものとなっているのである。
【００３３】
上記課題を解決するために、請求項４に係る発明の採った手段は、上記請求項２または請求項３の緑化装置１００を構成している装置本体１０について、
「枠部１２は、その一部に形成した通口１５を有したものであること」
である。
【００３４】
すなわち、この請求項４の緑化装置１００を構成している装置本体１０は、枠体２０を上側に乗せたとき、図１８に示すように、その枠部１２に通口１５を形成するものであるから、例えば、当該緑化装置１００内に投入した栽培土３０内に播種した芝生６０がある
程度まで生育するまでの間の潅水が、この通口１５を通して排出されることになる。勿論、この通口１５からは、「根」の生育に必要な酸素が供給される。このため、当該装置本体１０は、通口１５の存在によって、芝生６０の苗の育成を、「根腐れ」等の原因である水分過多や、酸素不足による悪影響を生ずることなく確実に行えるものである。
【００３５】
特に、この請求項４の緑化装置１００においては、枠部１２の一部に通口１５を形成したから、この通口１５から内部の視認ができることになり、図１８に示すような多段積みを行った場合の芝生６０の状態が簡単に確認できるのである。また、この図１８に示したような多段積み状態での保管や運搬時における通気を、この通口１５を通して行うことができて、酸素供給や芝生６０から出る熱や水蒸気の排出を良好に行えるのである。
【００３６】
従って、この請求項４の緑化装置１００は、上記請求項２または請求項３のそれと同様な機能を発揮する他、通口１５によって内部の視認や通気が十分行えるものとなっているのである。
【００３７】
また、上記課題を解決するために、請求項５に係る発明の採った手段は、最良形態で使用する符号を付して説明すると、
「緑化を行うための栽培土３０が収納される装置本体１０と、これとともに使用されることになる枠体２０とからなる緑化装置１００であって、
枠体２０を、装置本体１０上に嵌合されたときに、その底板１１上に投入される栽培土３０を囲い込む枠本体２１と、当該枠体２０を装置本体１０の嵌合凹所１４内に嵌合したとき、枠本体２１を接地面に対して通水口２３を形成した状態で支持する脚部２２とにより構成したことを特徴とする緑化装置１００」
である。
【００３８】
すなわち、この請求項５の緑化装置１００も、緑化を行うための栽培土３０が収納される装置本体１０と、これとともに使用されることになる枠体２０とからなるなるものであるが、この枠体２０は、栽培土３０を囲い込む枠本体２１と、枠本体２１を接地面に対して支持する脚部２２とにより構成したものである。
【００３９】
この緑化装置１００の枠体２０は、図１に示すように、枠本体２１を主たる構成要素とするものであり、この枠本体２１は、装置本体１０の上側あるいは下側に所定の空間を形成するものである。つまり、この枠体２０が装置本体１０上に嵌合されたときには、この枠本体２１によって、装置本体１０の底板１１上に投入される栽培土３０のための収納空間を形成するものであり、投入完了後の栽培土３０を外側に零れでないように囲い込むものである。これに対して、装置本体１０の下側に配置されるときには、図４に示すように、装置本体１０の底板１１を浮かせて支持することになるのである。
【００４０】
換言すれば、枠本体２１は、装置本体１０の上側に必要な「囲い」と、装置本体１０の下側に必要な「脚」との両方の機能を備えたものであり、その機能が必要になったときに応じて使用されるものである。勿論、当該枠体２０は、その枠本体２１を使用して装置本体１０側の嵌合凹所１４内に嵌合されるものであり、このときには、当該枠体２０に対する装置本体１０の位置決めをしっかりと行うことは、装置本体１０についての前述の通りである。
【００４１】
また、この枠本体２１の脚部２２は、当該枠体２０を装置本体１０の嵌合凹所１４内に嵌合したとき、図１９に示すように、枠本体２１を接地面に対して通水口２３を形成した状態で支持するものである。この通水口２３は、施工後の各緑化装置１００について、その下面においての水の流れ場所を形成するものであり、施工面上や後述する貯水トレー５０内の水の動きを円滑にし、結果的に潅水作業を確実にするものである。
【００４２】
勿論、この枠体２０は、その枠本体２１を、装置本体１０側の受面１３上に載置したり、装置本体１０の下側に設置してその嵌合凹部１４内に嵌合することにより、装置本体１０に対する使用が行われるものであり、緑化装置１００全体としての安定化を図るとともに、施工や潅水作業を簡単にするものでる。
【００４３】
以上のように、装置本体１０に対する当該枠体２０の種々な使用の仕方は簡単になっており、しかも施工後の装置本体１０及び枠体２０は、互いに安定状態に維持されることになるから、緑化装置１００全体の修正移動や潅水作業によって簡単に破損することはなく、緑化装置１００全体としての耐久性をも高めているものである。
【００４４】
従って、この請求項５の緑化装置１００は、装置本体１０を有効に利用することができて、結果的に、施工そのものが簡単で施工後の耐久性が優れていて、しかも、水管理がし易いものとなっているのである。
【００４５】
上記課題を解決するために、請求項６に係る発明の採った手段は、上記請求項５の緑化装置１００を構成している枠体２０について、
「枠本体２１の上端内側に所定幅の折り返し部２４を一体化するとともに、この折り返し部２４の内側に各脚部２２を一体化したこと」
である。
【００４６】
すなわち、この請求項６の緑化装置１００では、これを構成している枠体２０について、その枠本体２１の上端内側に、図１４及び図１６に示すように、所定幅の折り返し部２４を一体化するとともに、この折り返し部２４の内側に各脚部２２を一体化したものである。
【００４７】
この折り返し部２４は、最良形態のものでは、図１６に示すように、枠体２０の主たる構成要素である枠本体２１に対して略直交したものであり、しかも、図１４に示すように、枠本体２１の内側全周に亘って形成したものであるため、枠本体２１の補強を十分行っているのである。このため、当該折り返し部２４の存在によって、枠本体２１は、その中に栽培土３０が投入されたときに与えられる衝撃に十分耐えられるものとなっているだけでなく、枠体２０の上に装置本体１０を載置した場合についても、緑化装置１００全体の耐久性を高めているのである。
【００４８】
従って、この請求項６の緑化装置１００においても、枠体２０自体の耐久性が高まっているだけでなく、装置本体１０を有効に利用することができて、結果的に、施工そのものが簡単で施工後の耐久性が優れていて、しかも、水管理がし易いものとなっているのである。
【００４９】
そして、上記課題を解決するために、請求項７に係る発明の採った手段は、
栽培土３０が投入されて載置される装置本体１０と、これに組み合わされる枠体２０とからなる緑化装置１００を使用した緑化工法であって、
枠体２０を装置本体１０上に載置して、この装置本体１０の底板１１上に形成された枠体２０による投入空間内に栽培土３０を投入して、この栽培土３０によって緑化植物の育苗を行い、
この育苗が済んだ緑化植物を装置本体１０、枠体２０及び栽培土３０をそのままの状態にして施工面まで運搬し、
施工面において、装置本体１０を枠体２０上に載置して、緑化植物が植えられている栽培土３０を施工面から浮き上がらせるようにしたことを特徴とする緑化工法」
である。
【００５０】
すなわち、この請求項７に係る緑化工法は、緑化を行うための栽培土３０が収納される装置本体１０と、これとともに使用されることになる枠体２０とからなる緑化装置１００を使用するものであり、図１に示すように、枠体２０を装置本体１０上に載置したときに、この装置本体１０の底板１１上に枠体２０による栽培土３０のための投入空間、及び緑化植物の発芽または初期成育空間を形成するものである。
【００５１】
逆に、この緑化工法では、図４に示すように、緑化装置１００を構成している装置本体１０を枠体２０上に載置したときに、この枠体２０が底板１１を施工面から浮き上がらせるようにするものであり、底板１１上に育成されている緑化植物を露出させるようにするものでもある。
【００５２】
換言すれば、この緑化工法は、従来であれば邪魔物でしかなく産業廃棄物としかならなかった枠体２０を、育苗時には栽培土３０や緑化植物の保護、施工完了時には装置本体１０の「脚」としての役目を果たすようにしたものである。
【００５３】
また、この請求項７の緑化工法は、田圃や畑での芝生の育成にも適用できるだけでなく、緑化装置１００の保管や運搬が簡単に行え、ビルの屋上に対する緑化であっても、その施工を簡単に行えるのである。
【００５４】
従って、この請求項７の緑化工法は、装置本体１０と枠体２０とを有効に利用することができて、結果的に、緑化のための育苗や施工そのものを簡単に行うことができるのである。
【００５５】
そして、上記課題を解決するために、請求項８に係る発明の採った手段は、
「枠部１２によって栽培土３０が載置される底板１１を支持するようにした装置本体１０と、枠本体２１を有する枠体２０とからなる緑化装置１００を使用して、主として緑化を行う緑化工法であって、
装置本体１０上に脚部２２が上になるようにして枠体２０を載置することにより、この枠体２０の枠本体２１内に、栽培土３０の収納とこれによる緑化植物の育苗を行う空間を形成し、
栽培土３０への播種または育苗を完了させた複数の緑化装置１００を、そのままの状態で段積みして施工場所まで搬送した後、
枠体２０をその脚部２２が下になるようにして施工面上に載置してから、その枠本体２１上に装置本体１０を載置することにより、栽培土３０が上部に位置し、枠本体２１に形成してある脚部２２が施工面に当接して、脚部２２間にある通水口２４を施工面上にて開口するようにし、
この作業を複数の各緑化装置１００について行うことにより、屋上に緑化植物による緑化を行うようにしたことを特徴とする緑化工法」
である。
【００５６】
すなわち、この請求項８の緑化工法は、基本的には、上記各請求項１〜６に係る緑化装置１００を使用するもの、つまり、枠部１２によって栽培土３０が載置される底板１１を支持するようにした装置本体１０と、枠本体２１を有する枠体２０とからなる緑化装置１００を使用して、主として屋上緑化を行うでものあり、上記緑化装置１００を構成している各装置本体１０及び枠体２０の機能を踏襲しているものである。
【００５７】
まず、この緑化工法にあっては、装置本体１０上に脚部２２が上になるようにして枠体２０を載置することにより、この枠体２０の枠本体２１内に、栽培土３０の収納とこれによる緑化植物の育苗を行う空間が形成される。そして、栽培土３０への播種または育苗を
完了させた複数の緑化装置１００は、そのままの状態で段積みして施工場所まで搬送するのである。
【００５８】
その後、枠体２０をその脚部２２が下になるようにして施工面上に載置してから、その枠本体２１上に装置本体１０を載置することにより、栽培土３０が上部に位置し、枠本体２１に形成してある脚部２２が施工面に当接して、脚部２２間にある通水口２４が施工面上にて開口する。
【００５９】
この作業を複数の各緑化装置１００について行うえば、図２１及び図２２に示すように、建物の屋上に緑化植物による緑化が行われるのである。
【００６０】
従って、この請求項８の緑化工法によれば、装置本体１０及び枠体２０を有効に利用することができて、結果的に、施工そのものが簡単で、しかも、水管理がし易くなっているのである。
【００６１】
請求項９に係る発明の採った手段は、上記請求項８の緑化工法について、
「施工面上に、別に用意しておいた枠体２０を上下ひっくり返して載置しておき、この枠体２０上に装置本体１０を載置した後に、当該装置本体１０上にあった枠体２０をその脚部２２が下になるようにして当該装置本体１０の隣に載置し、これを繰り返すことにより施工面に対する緑化を行うようにしたこと」
である。
【００６２】
つまり、この請求項９の緑化工法では、枠体２０を別に用意しておくだけで、多数の緑化装置１００の施工をより一層簡単に行えるようにしたものである。具体的には、まず、別に用意しておいた枠体２０だけを、屋上等の施工面上に設計に合わせて配置するのであり、これにより、搬入されてくる緑化装置１００の設置場所を確保するのである。
【００６３】
運搬されてくる各緑化装置１００は、図１８に示すように、上に枠体２０を載置したものであるため、これをそのまま既設の枠体２０上に載置すればよい。載置した緑化装置１００については、その上の枠体２０が余分になるが、この枠体２０は、その脚部２２が下になるようにして、設置した緑化装置１００（実際は装置本体１０）の隣に隣接状態で置けばよいのである。この枠体２０は、さらに次の緑化装置１００のための設置場所となることは言うまでもない。
【００６４】
従って、この請求項９の緑化工法によれば、装置本体１０及び枠体２０を有効に利用することができるだけでなく、結果的に、施工そのものをより一層簡単に行え、しかも、水管理がし易くなっているのである。
【発明の効果】
【００６５】
以上、詳述した通り、本発明に係る緑化装置１００おいては、主として、
「緑化を行うための栽培土３０が収納される装置本体１０と、これとともに使用されることになる枠体２０とからなる緑化装置１００であって、
枠体２０を装置本体１０上に載置したとき、この装置本体１０の底板１１上に枠体２０による栽培土３０のための投入空間及び緑化植物の発芽または初期成育空間が形成でき、
逆に、装置本体１０を枠体２０上に載置したとき、この枠体２０が底板１１を施工面から浮き上がらせることができるとともに、緑化植物を露出できるようにしたこと」
に、また、本発明に係る緑化工法においては、主として、
「栽培土３０が投入されて載置される装置本体１０と、これに組み合わされる枠体２０とからなる緑化装置１００を使用した緑化工法であって、
枠体２０を装置本体１０上に載置して、この装置本体１０の底板１１上に形成された枠
体２０による投入空間内に栽培土３０を投入して、この栽培土３０によって緑化植物の育苗を行い、
この育苗が済んだ緑化植物を装置本体１０、枠体２０及び栽培土３０をそのままの状態にして施工面まで運搬し、
施工面において、装置本体１０を枠体２０上に載置して、緑化植物が植えられている栽培土３０を施工面から浮き上がらせるようにしたこと」
に特徴があり、これにより、緑化を行う緑化装置や施工方法について、施工そのものが簡単で施工後の耐久性が優れていて、しかも、水管理をし易いものとすることができたのである。
【発明を実施するための最良の形態】
【００６６】
次に、上記のように構成した各請求項に係る発明について、図面に示した最良の形態について説明すると、図１には、本発明に係る緑化装置１００の斜視図が示してある。この緑化装置１００は、例えば合成樹脂を材料として一体的に形成した装置本体１０と枠体２０とからなっている。すなわち、受面１３の緑化装置１００は、緑化を行うための栽培土３０が収納される装置本体１０と、これとともに使用されることになる枠体２０とからなるものである。
【００６７】
装置本体１０は、図５〜図１３に示すように、主として、栽培土３０が投入されることになる底板１１と、この底板１１の外周を支える枠部１２と、この枠部１２の上面に形成されて、枠体２０の枠本体２１の下面が載置されることになる受面１３と、枠部１２の下面に形成されて、枠本体２１の下端が嵌合されることになる嵌合凹部１４とを備えたものである。また、この最良形態の枠部１２は、図６に示したように、その一部に形成した通口１５を有したものである。
【００６８】
勿論、装置本体１０の底板１１には、図５に示したように、多数の透水孔１１ｃが形成してあって、これらの透水孔１１ｃから余剰となった水分を下方に排水できるようにしてある。本最良形態の装置本体１０は、上述したように合成樹脂を材料として形成したものであるから、図７に示したように、その裏面側に補強リブ１１ｂが形成してある。
【００６９】
この底板１１の上面外周には、後述する枠体２０を載置するための受面１３が形成してあったが、この受面１３の直ぐ内側に、図５及び図６に示したように、土留枠１１ａが形成してある。この土留枠１１ａは、文字通り、底板１１上に投入された栽培土３０のある程度の土留めを行うものではあるが、枠体２０のための位置決め部材としての役割をも果たすものである。すなわち、この土留枠１１ａは、その外側の受面１３上に枠体２０の枠本体２１を載置する際の位置を決定する役割と、上下ひっくり返されたときの枠体２０の各脚部２２を内側に位置決めすることになるものでもある。
【００７０】
この装置本体１０の下側に目を向けてみると、この装置本体１０の裏面には、図７に示したように、嵌合凹部１４が形成してある。この嵌合凹部１４は、その外側の枠部１２と、この枠部１２の内側の下部内枠１７とによって形成したものであり、枠体２０側の枠本体２１が挿入されることになる部分となるものである。なお、最良形態の下部内枠１７自体にも、図６に示したように、枠部１２に形成したのと同じ通口１５が形成してある。
【００７１】
また、本最良形態の装置本体１０では、図５、図７、図９、及び図１０に示したように、その底板１１の中央部に吸水材挿入口１６が形成してある。この吸水材挿入口１６内には、図２２に示したように、下側の貯められている水を吸い上げるための吸水材５１が挿入固定されるものであり、この吸水材５１を介して下側の水を緑化装置１００内に導くようにもなされる。
【００７２】
枠体２０は、図１４〜図１７に示すように、主として、装置本体１０上に嵌合されたときに、その底板１１上に投入される栽培土３０を囲い込む枠本体２１と、当該枠体２０を装置本体１０の嵌合凹所１４内に嵌合したとき、枠本体２１を接地面に対して通水口２３を形成した状態で支持する脚部２２とにより構成したものである。
【００７３】
また、最良形態の枠本体２１は、図１４に示したように、その上端内側に所定幅の折り返し部２４を一体化するとともに、この折り返し部２４の内側に各脚部２２を一体化したものである。
【００７４】
以上のように構成した装置本体１０と枠体２０からなる緑化装置１００は、次のようにして使用または施工される。まず、図１に示したように、装置本体１０上に脚部２２が上になるようにして枠体２０を載置することにより、この枠体２０の枠本体２１内に、栽培土３０の収納とこれによる緑化植物の育苗を行う空間を形成する。栽培土３０への播種または育苗を完了させた複数の緑化装置１００は、そのままの状態で段積みして施工場所まで搬送される。
【００７５】
施工現場に搬入した各緑化装置１００は、図２〜図３に示したように、枠体２０をその脚部２２が下になるようにして施工面上に載置してから、その枠本体２１上に装置本体１０を載置するのである。これにより、栽培土３０が上部に位置し、枠本体２１に形成してある脚部２２が施工面に当接して、脚部２２間にある通水口２４を施工面上にて開口するのである。
【００７６】
以上の作業を複数の各緑化装置１００について行うことにより、図２１及び図２２に示したように、屋上に緑化植物による緑化が行われるのである。
【００７７】
以上の施工を行うにあたって、施工面上に、別に用意しておいた枠体２０を上下ひっくり返して載置しておき、この枠体２０上に装置本体１０を載置した後に、当該装置本体１０上にあった枠体２０をその脚部２２が下になるようにして当該装置本体１０の隣に載置するようにしてもよい。このようにすれば、一つの緑化装置１００について装置本体１０と枠体２０との入れ替えを行わなくて済むから、施工作業を効率化できるのである。
【００７８】
なお、施工された各緑化装置１００間には、図２１に示したように、芝生６０がない部分が生ずるが、この部分に目土３１を投入してこれを埋めれば、境界のない美しい緑化面が形成でき、芝生６０の生育場所も増加させることができるのである。
【００７９】
また、吸水材５１による潅水を行う際には、図１９に示した保護枠４１を使用するとよい。この保護枠４１は、図２２にも示したように、吸水材挿入口１６に取り付けられた吸水材５１の外周を取り囲むことになるものであり、保護枠４１の保護を行うからである。勿論、この保護枠４１自体は、各緑化装置１００の施工面に対する「脚」ともなって、これを保護することにもなるものである。
【００８０】
このような保護枠４１に代えて、図２０に示したような支持脚４２を採用してもよい。この支持脚４２は、重くなっている装置本体１０を枠体２０に対してしっかり支持するものであり、装置本体１０の底板１１の重量による変形や割れを防止することにもなるものである。
【００８１】
施工すべき屋上に、十分な潅水設備を用意することができないときは、図１９〜図２３に示すような貯水トレー５０を使用するとよい。この貯水トレー５０は、枠体２０自体を直接載置するものであり、その中には一定量の水を溜めておくことができるものである。この貯水トレー５０は、図１９あるいは図２３に示したように、複数の緑化装置１００を
同時に載置できる大きさのものであってもよく、また、図２０に示したように、個別の緑化装置１００をそれぞれ載置できるものであってもよい。勿論、この貯水トレー５０内には、緑化装置１００上に潅水された水の余剰分が貯められるのであり、吸水材５１を使用する場合には、その下端がこの貯水トレー５０内に漬けられるものである。
【図面の簡単な説明】
【００８２】
【図１】本発明に係る緑化装置の斜視図である。
【図２】同緑化装置の枠体を外そうとしている状態の斜視図である。
【図３】同緑化装置の外した枠体を下側にしてこの枠体の上に装置本体を載置しようとしている状態の斜視図である。
【図４】枠体上に装置本体が載置されたときの緑化装置の斜視図である。
【図５】同緑化装置を構成している装置本体の拡大平面図である。
【図６】同装置本体の正面図である。
【図７】同装置本体の底面図である。
【図８】図７中の１−１線に沿って見た断面図である。
【図９】図７中の２−２線に沿って見た断面図である。
【図１０】図９中の３−３線部の部分拡大断面図である。
【図１１】図９中の４−４線部の部分拡大断面図である。
【図１２】図７中の５−５線部の部分拡大断面図である。
【図１３】図８中の６−６線部の部分拡大断面図である。
【図１４】緑化装置を構成してる枠体の、左半分を底面とした平面図である。
【図１５】同枠体の正面図である。
【図１６】同枠体の縦断面図である。
【図１７】図１６中の７−７線部の部分拡大断面図である。
【図１８】複数の緑化装置を積み上げた状態の拡大縦断面図である。
【図１９】図１８に示した緑化装置のそれぞれを施工する状態を示した概略断面図である。
【図２０】別の施工例を示した概略断面図である。
【図２１】施工された各緑化装置の平面図である。
【図２２】図２１の施工状態の縦断面図である。
【図２３】貯水トレーを示すもので、（ａ）は平面図、（ｂ）は正面図、（ｃ）は断面図である。
【図２４】従来の技術を示す分解斜視図である。
【図２５】従来の別の技術を示す分解斜視図である。
【符号の説明】
【００８３】
１００    緑化装置
１０    装置本体
１１    底板
１１ａ  土留枠
１１ｂ  補強リブ
１１ｃ  透水孔
１２    枠部
１３    受面
１４    嵌合凹部
１５    通口
１６    吸水材挿入口
１７    下部内枠
２０    枠体
２１    枠本体
２２    脚部
２３    通水口
２４    折り返し部
３０    栽培土
３１    目土
４１    保護枠
４２    支持脚
５０    貯水トレー
５１    吸水材
６０    芝生
【図１】
2005229827.tif 000003
【図２】
2005229827.tif 000004
【図３】
2005229827.tif 000005
【図４】
2005229827.tif 000006
【図５】
2005229827.tif 000007
【図６】
2005229827.tif 000008
【図７】
2005229827.tif 000009
【図８】
2005229827.tif 000010
【図９】
2005229827.tif 000011
【図１０】
2005229827.tif 000012
【図１１】
2005229827.tif 000013
【図１２】
2005229827.tif 000014
【図１３】
2005229827.tif 000015
【図１４】
2005229827.tif 000016
【図１５】
2005229827.tif 000017
【図１６】
2005229827.tif 000018
【図１７】
2005229827.tif 000019
【図１８】
2005229827.tif 000020
【図１９】
2005229827.tif 000021
【図２０】
2005229827.tif 000022
【図２１】
2005229827.tif 000023
【図２２】
2005229827.tif 000024
【図２３】
2005229827.tif 000025
【図２４】
2005229827.tif 000026
【図２５】
2005229827.tif 000027